(57)【要約】【課題】光伝送特性を維持しつつスロット溝寸法を縮小することでスロットの細径化を図ることができるテープスロット型ケーブルを提供する。【解決手段】テープスロット型ケーブル１０は、複数のテープ心線２０を実装するスロット溝３０が、螺旋状に設けられたテープスロット型ケーブルである。テープ心線２０の厚さが０．２８ｍｍ以下であり、スロット溝３０内でテープ心線２０のテープ積層が１７度以上傾斜し、そしてスロット溝３０内のテープ心線２０のテープ占積比率が６４％以上である。【選択図】図１
2008281823.tif 000002
【特許請求の範囲】
【請求項１】
複数のテープ心線を実装するスロット溝が、螺旋状に設けられたテープスロット型ケーブルであって、
前記テープ心線の厚さが０．２８ｍｍ以下であり、前記スロット溝内で前記テープ心線のテープ積層が１７度以上傾斜し、そして前記スロット溝内の前記テープ心線のテープ占積比率が６４％以上であることを特徴とするテープスロット型ケーブル。
【発明の詳細な説明】
【技術分野】
【０００１】
本発明は、テープスロット型ケーブルに関し、特にスロットの細径化を図ることができるテープスロット型ケーブルに関する。
【背景技術】
【０００２】
複数のテープ心線を実装するスロット溝が螺旋状に設けられたテープスロット型ケーブルが実用化されている。
光ファイバケーブルの多心化・高密度化に伴い、光ファイバケーブルの小型軽量化が要求されてきており、テープスロット型ケーブルにおいても、ケーブル外径の細径化の検討がなされている。
例えば、特許文献１においては、スロット溝を同心円状に複数層設けることにより、ケーブル外径当たりの光ファイバ収納率を増加させている。
【特許文献１】実開平７−１０７０９号公報
【発明の開示】
【発明が解決しようとする課題】
【０００３】
しかしながら、特許文献１の構造のテープスロット型ケーブルは、ケーブル外径当たりの光ファイバ収納率は大きくできるものの、構造が複雑であるため、製造が難しく、また、製造コストも増加してしまう問題がある。
一方、スロットの外周に１層のスロット溝を有する従来のテープスロット型ケーブルでは、通常、テープ心線の厚さが０．３０ｍｍ以上であり、光ファイバの伝送損失増加の観点からスロット溝内でテープ積層が３４度以上傾斜できるようにスロッド溝の大きさが設定されている。そのため、スロット溝内のテープ占積比率が５７．９％以下である。このため、従来のテープスロット型ケーブルでは、スロットの細径化に限界があり、テープスロット型ケーブルの小型化が難しかった。
そこで、本発明のテープスロット型ケーブルは、上記課題を解消するために、スロットの外周に１層のスロット溝を有する従来の構造を採用しつつ、スロットの細径化を図ることができるテープスロット型ケーブルを提供することを目的とする。
【課題を解決するための手段】
【０００４】
上記課題を解消するために、本発明のテープスロット型ケーブルは、複数のテープ心線を実装するスロット溝が、螺旋状に設けられたテープスロット型ケーブルであって、前記テープ心線の厚さが０．２８ｍｍ以下であり、前記スロット溝内で前記テープ心線のテープ積層が１７度以上傾斜し、そして前記スロット溝内の前記テープ心線のテープ占積比率が６４％以上であることを特徴とする。
【発明の効果】
【０００５】
本発明によれば、スロットの外周に１層のスロット溝を有する従来の構造を採用しつつスロット溝寸法を縮小することでスロットの細径化を図ることができる。
【発明を実施するための最良の形態】
【０００６】
以下、図面を参照して、本発明の好ましい実施形態を詳細に説明する。  
図１は、本発明のテープスロット型ケーブルの好ましい実施形態の構造例を示す断面図である。
図１に示すテープスロット型ケーブル１０は、一例として８心の光ファイバ心線からなるテープ心線２０を実装しており、スロット１１と、複数枚のテープ心線２０と、テンションバー１２と、押え巻１３と、シース１４を有している。スロット１１の中心部にはテンションバー１２が配置されており、スロット１１は複数のスロット溝３０を有している。
【０００７】
複数のスロット溝３０は、テンションバー１２を中心として放射状に形成されている。各スロット溝３０内には、一例として１０枚のテープ心線２０が放射方向に沿って積層されている。スロット１１の外周面には、押え巻１３が配置されており、押え巻１３はテープ心線２０がスロット溝３０から出ないようにしている。シース１４は例えばポリエチレンにより形成されており、押え巻１３の外周面を覆っている。
【０００８】
なお、図１では、図示の簡略化のためにスロット溝３０内に積層されたテープ心線２０のテープ積層傾斜角度の表示は行っていないが、実際には、スロット溝３０とテープ心線２０の間にはある程度のクリアランスがあり、図５に例示するように、スロット溝３０内に積層されたテープ心線２０は、スロット溝３０の底部に対して傾斜することができるようになっている。なお、スロット溝３０内でテープ心線２０が傾斜可能な最大角度をテープ積層傾斜角度θと呼ぶ。
【０００９】
図２は、図１のテープ心線２０の構造例を示す断面図である。
図２に示すように、テープ心線２０は８心の光ファイバ心線からなる８心テープ心線である。
図２に示すテープ心線２０は、例えば以下のように製造される。
まず、外径が０．２４〜０．２６ｍｍの光ファイバ心線４０を４本平面状に並行に配し、これに、例えば紫外線硬化性樹脂等からなる一次テープ被覆４１を施し、一次テープユニットを形成する。形成された一次テープユニットを、この実施例では２枚用意して、この２枚の一次テープユニットを平面状に並行に並べて、これら一次テープユニット全体に、例えば紫外線硬化性樹脂等からなる二次テープ被覆４２を施し、両一次テープユニットを連結し、テープ心線２０が形成される。
【００１０】
尚、光ファイバ４０としては外径約１２５μｍのガラス光ファイバの外周に紫外線硬化性樹脂等の被覆を施し、外径を０．２４〜０．２６ｍｍとしたＪＩＳ  Ｃ６８３５に規定されたシングルモード光ファイバを用いている。
また、この実施例では光ファイバ心線４本を一次テープユニットとし、これらを２枚用いて８心テープ心線としたが、一次テープユニットの光ファイバ心線の本数は４本に限らない。また、二次テープ被覆は行わず、光ファイバ心線８本で一次テープユニットを構成してもよく、その本数や構成は必要に応じてその都度適宜選択され得る。
【００１１】
本発明の実施形態のテープスロット型ケーブル１０は、複数のテープ心線２０を実装するスロット溝３０が、ケーブル１０の軸方向に沿って一方向に螺旋状に設けられている。
また、テープスロット型ケーブル１０におけるテープ心線２０の厚さが０．２８ｍｍ以下であり、スロット溝３０内でテープ心線２０のテープ積層が１７度以上傾斜可能であり、そしてスロット溝３０内のテープ心線２０のテープ占積比率が６４．０％以上である。
【００１２】
図３は、本発明の実施例１〜実施例４と従来例と比較例１，２を示している。
図３では、テープ心線２０の厚さ［ｍｍ］、幅［ｍｍ］、枚数［枚／溝］と、スロット溝３０の溝上幅［ｍｍ］、溝高さ［ｍｍ］、溝下幅［ｍｍ］、溝数、リブ根本厚［ｍｍ］（図１においてＦで示している）、スロット１１の外径［ｍｍ］、シース１４の厚さ［ｍｍ］、テープスロット型ケーブル１０の外径［ｍｍ］、テープ心線２０の積層傾斜角度［ｄｅｇ］、テープ心線２０の占積率［％］、そして温度特性［ｄＢ／ｋｍ］を示している。
【００１３】
ここで、テープ心線占積率とは、スロット溝３０の断面積に対してテープ心線２０が占める面積比率である。
また、温度特性とは、−３０℃〜＋７０℃におけるテープスロット型ケーブル１０に実装された光ファイバ心線４０の最大伝送損失の変化量である。
尚、光ファイバケーブルが問題なく動作するための温度特性としては、０．１５ｄＢ／ｋｍ以下が必要であり、より好ましくは０．１０ｄＢ／ｋｍ以下である。
【００１４】
図４は、図３の実施例１〜実施例４のテープ心線２０の厚さＤと幅Ｔの寸法例を示している。テープ心線２０の厚さＤは０．２８ｍｍであり、幅Ｔは２．２０ｍｍである。
図５は、図３の実施例１の寸法例を図示しており、スロット溝３０内に積層されている１０枚のテープ心線２０を示している。スロット溝３０の溝上幅Ｔ１は２．７ｍｍ、溝高さＨは３．６ｍｍ、そして溝下幅Ｔ２は２．５ｍｍである。テープ心線２０の積層傾斜角度θは、２４度である。
【００１５】
テープ心線２０の厚さＤが０．２８ｍｍ（設計中心値、テープ心線の長手方向に関する各位置の厚みの平均値ともいう）を超えると、スロットの細径化が制限されるため、好ましくない。
また、光ファイバ心線として標準的な外径０．２４〜０．２６ｍｍのものを用いているため、テープ心線２０の厚さＤの下限値としては、光ファイバ心線の外径＋０．０２      ｍｍが限界である。
また、光ファイバ心線の外径を標準的な０．２４〜０．２６ｍｍよりも小さくすることで、さらにテープ心線２０の厚さＤを小さくすることもできるが、光ファイバ心線を特別な仕様にて製造する必要があることからコストアップとなってしまう。
【００１６】
スロット溝３０内でテープ心線２０の積層が１７度未満の傾斜であると、光ファイバ心線の伝送損失が増加しやすくい問題が生じる。
また、スロット溝３０内でテープ心線２０の積層の角度を大きく設定すると、スロットの細径化が制限されるため、好ましくない。よって、上限値は、好ましくは２４度である。
同様にして、スロット溝３０内のテープ占積比率が６４％未満であると、スロットの細径化が制限されるため、好ましくない。また、テープ占積比率が大きすぎると、テープ心線のスロット溝内での動きを妨げることになるため、伝送損失が増加しやすくなる問題が生じる。したがって、テープ占積比率は、７５％以下が好ましい。
【００１７】
図６は、図３の比較例１の寸法例を示しており、スロット溝１３０の溝上幅Ｇ１は２．３ｍｍ、溝高さＪは３．４ｍｍ、そして溝下幅Ｇ２は２．３ｍｍである。テープ心線１２０の積層傾斜角度θは、１５度である。
【００１８】
図８は、比較のために、図３に示す従来例のテープ心線２２０の寸法を示しており、テープ心線２２０の厚さＢは０．３０ｍｍであり、幅Ｃは２．２０ｍｍである。
図９では、比較のために、図３に示す従来例のスロット溝２３０内におけるテープ心線積層傾斜角度θが、３４度であることを示している。
【００１９】
図３に示されるように、本発明の実施例１〜実施例４のテープスロット型ケーブルは、テープ心線２０のテープ占積比率を６４％以上としつつ、温度特性［ｄＢ／ｋｍ］を、０．１０ｄＢ／ｋｍ以下に保つことができている。すなわち、光伝送特性を維持しつつスロット溝寸法を縮小することでスロットの細径化をして、テープスロット型ケーブルの小型化を図ることができているといえる。
【００２０】
本発明の実施形態のテープスロット型ケーブル１０は、複数のテープ心線２０を実装するスロット溝３０が、螺旋状に設けられたテープスロット型ケーブルである。テープ心線２０の厚さが０．２８ｍｍ以下であり、スロット溝３０内でテープ心線２０のテープ積層が１７度以上傾斜し、そしてスロット溝３０内のテープ心線２０のテープ占積比率が６４％以上であることから、光伝送特性を維持しつつスロット溝寸法を縮小することでスロットの細径化を図ることができる。
【００２１】
ところで、本発明は、上記実施形態に限定されず種々の変形例を採用できる。
図７は、図５に示す本発明の実施例１の変形例を示しており、スロット溝３０の溝下部の角部７０がＲ部分になっている。すなわち、スロット溝３０において、積層されたテープ心線２０の積層傾斜角度θの設定に影響を与えないようにして、スロット溝３０の溝下部の角部７０をＲ部分しても良い。
また、図１に示すテープスロット型ケーブル１０のスロット１１は、１３のスロット溝３０を有していて、各スロット溝３０内には１０枚のテープ心線２０が積層されている。しかしこれに限らず、スロット溝の数と、テープ心線の積層数を変更することができる。
【図面の簡単な説明】
【００２２】
【図１】本発明のテープスロット型ケーブルの好ましい実施形態の構造例を示す断面図である。
【図２】テープ心線の構造例を示す断面図である。
【図３】本発明の実施例１〜実施例４と従来例と比較例１，２を示している。
【図４】本発明の実施例の１枚のテープ心線の厚さＤと幅Ｔの例を示を示す図である。
【図５】本発明の実施例１のスロット溝の寸歩例と、テープ心線の積層傾斜角度の例を示す図である。
【図６】比較例のスロット溝の寸歩例と、テープ心線の積層傾斜角度の例を示す図である。
【図７】図５に示す本発明の実施例１の変形例を示す図である。
【図８】比較のために、従来のテープ心線の寸法を示す図である。
【図９】比較のために、従来のスロット溝２３０内におけるテープ心線積層傾斜角度を示す図である。
【符号の説明】
【００２３】
１０        テープスロット型ケーブル
１１        スロット
１２        テンションバー
１３        押え巻
１４        シース
２０        テープ心線
３０        スロット溝
【図１】
2008281823.tif 000003
【図２】
2008281823.tif 000004
【図３】
2008281823.tif 000005
【図４】
2008281823.tif 000006
【図５】
2008281823.tif 000007
【図６】
2008281823.tif 000008
【図７】
2008281823.tif 000009
【図８】
2008281823.tif 000010
【図９】
2008281823.tif 000011